(57)【特許請求の範囲】
【請求項１】
炊飯時の加水量を量る計量カップであって、
その最大容量が、炊飯する米の所定の単位量相当量であり、
前記加水量のうち、前記最大容量の整数倍量に相当する加水量を示す加水量表示部と、
前記加水量のうち、前記最大容量の整数倍量に満たない量を示す水位目盛とを備え、
前記加水量は、炊飯に用いる炊飯器の最大炊飯容量に応じて定められている
ことを特徴とする計量カップ。
【請求項２】
前記最大容量は、米１合相当量である
ことを特徴とする請求項１記載の計量カップ。
【請求項３】
側面に複数の前記水位目盛が形成された
ことを特徴とする請求項１又は請求項２に記載の計量カップ。
【請求項４】
前記水位目盛が、側面の全周に亘って形成されている
ことを特徴とする請求項１又は請求項２に記載の計量カップ。
【発明の詳細な説明】
【技術分野】
【０００１】
本発明は、炊飯時の加水量の計量に用いる計量カップに関する。
【背景技術】
【０００２】
従来の炊飯器は、炊飯器の内釜の内面に印刷あるいは刻印された水位目盛を備えており、ユーザーは、内釜の水位目盛に水面を合わせることによって水の量（加水量）を量っていた。
【０００３】
また、加水量を量る計量カップも提案されている。このような計量カップとして、「容器２の開口部２ａと対向する底部２ｂの中間部に位置して伸縮自在でなる蛇腹２ｃを介在して、最大に伸長することで容器２の容積を拡大することで水の適量を測定が出来るようにして更に、容器２に介在した蛇腹２Ｃを縮小することで、１合に見合う容積に可変自在にする」という技術が提案されている（例えば、特許文献１参照）。
【先行技術文献】
【特許文献】
【０００４】
【特許文献１】特開平１０−１７４６５３号公報（第２頁、図１）
【発明の概要】
【発明が解決しようとする課題】
【０００５】
内釜に設けられた水位目盛を用いて正確に水加減を行う場合には、内釜を水平な場所に置いて水位調節を行う必要があった。しかし、水位調節を行うときに内釜を載置する調理台やテーブルなどの上は水平でない場合も多いため、ユーザーは、内釜上部の開口部に顔を近づけ、内釜を適宜傾けつつ、水位目盛とにらめっこしながら水面を水位目盛に合わせる必要があり、使い勝手が悪かった。
また、正確な水位調節を可能とするために、内釜の対向する両側面に水位目盛を設けたものも提案されているが、やはり、水平でない場所で水位調節を行う際には、内釜を水平に維持するよう調整しつつ水位調節を行う必要があり、使い勝手が悪かった。
【０００６】
また、上記特許文献１に記載の計量カップにおいては、米量に対する加水量の割合は、米１合に対する加水量の割合に固定されてしまう。すなわち、米を３合炊く場合には、１合の米を炊く場合の加水量の３倍の加水量となる。
しかし、おいしいご飯を炊くための米量に対する加水量の割合は、米量に応じて異なる。すなわち、おいしいご飯を炊くためには、米を１合炊く場合の米量に対する加水量の割合と、米を５合炊く場合の米量に対する加水量の割合とを異ならせる必要がある。
しかし、上記特許文献１に記載の計量カップでは、米量に対する加水量の割合が固定となるため、炊飯する米量に応じた水位調節が困難であった。
【０００７】
本発明は、上記のような課題を解決するためになされたものであり、炊飯する米の量に応じた水加減を容易に行うことのできる、計量カップを提供するものである。
【課題を解決するための手段】
【０００８】
本発明に係る計量カップは、炊飯時の加水量を量る計量カップであって、その最大容量が、炊飯する米の所定の単位量相当量であり、加水量のうち、最大容量の整数倍量に相当する加水量を示す加水量表示部と、加水量のうち、当該計量カップの最大容量の整数倍量に満たない量を示す水位目盛とを備え、この計量カップで量る加水量は、炊飯に用いる炊飯器の最大炊飯容量に応じて定められているものである。
【発明の効果】
【０００９】
本発明に係る計量カップは、計量カップの最大容量の整数倍量に満たない量を示す水位目盛を備えた。したがって、米量に応じたカップ数分の計量カップ最大容量の水と、米量に対応する目盛までの水を量ることで、加水量を量ることができる。このため、米量に応じた水加減を容易に行うことができる。
【図面の簡単な説明】
【００１０】
【図１】実施の形態１に係る計量カップの斜視図である。
【図２】図１に示す計量カップを他の方向から見た場合の斜視図である。
【図３】実施の形態２に係る計量カップの斜視図である。
【図４】図３に示す計量カップを他の方向から見た場合の斜視図である。
【図５】実施の形態２に係る加水量表示部を示す図である。
【図６】実施の形態３に係る計量カップの斜視図である。
【図７】実施の形態４に係る計量カップの斜視図である。
【図８】実施の形態５に係る炊飯器の斜視図である。
【発明を実施するための形態】
【００１１】
実施の形態１．
図１は、本発明の実施の形態１に係る計量カップ１の斜視図である。図２は、実施の形態１に係る計量カップ１を、図１とは異なる方向から見た場合の斜視図である。
計量カップ１は、プラスチック樹脂等で成形された計量カップであり、最大容量が１８０ｍＬ（米１合相当量）となるよう構成されている。本実施の形態１では、本発明の「米の所定の単位量」は、米１合に相当する。
計量カップ１には、印刷あるいは刻印により水位目盛２が設けられている。
また、図２に示すように、計量カップ１には加水量表示部３が設けられている。
【００１２】
ここで、一般に炊飯器は、最大炊飯容量が予め決まっている（例えば最大炊飯容量１．０Ｌ、１．８Ｌなど）。そして、米の量に対する最適な水の量は、炊飯器の最大炊飯容量によって異なる。本実施の形態１では、最大炊飯容量が１．０Ｌである炊飯器での炊飯に用いる計量カップを例に説明する。
【００１３】
まず、炊飯する米の量と加える水の量の関係について説明する。
一般に、炊飯する米の量（炊飯量）に対する、炊飯時に加える水の量（加水量）の比率は、加水比と呼ばれる。そして、おいしいご飯を炊くための加水比は、炊飯量によって異なる。以下に、一般的な炊飯器を例に、炊飯量と加水量の関係を説明する。
【００１４】
表１は、炊飯量と加水量とを一覧で示す表である。表１では、最大炊飯容量が１．０Ｌの炊飯器の表を上段に、最大炊飯容量が１．８Ｌの炊飯器の表を下段に示している。
【００１５】
【表１】
0005634050.tif 000002
【００１６】
「炊飯量」は、炊飯する米の合数を示している。１合は計量カップ１の１カップ分であり、容量１８０ｍＬに相当する。そして、２合は３６０ｍＬ、３合は５４０ｍＬ、４合は７２０ｍＬ、５合は９００ｍＬである。なお、最大炊飯容量が１．０Ｌの炊飯器では最大の炊飯量は５．５合であるが、本実施の形態１では５．５合の場合は説明を省略し、表１にも記載していない。
【００１７】
「加水量」は、炊飯時に加える水の量であり、単位はｍＬである。
最大炊飯容量が１．０Ｌの炊飯器を用いる場合には、炊飯量が１合の場合の加水量は２７０ｍＬである。同様に、炊飯量が２合の場合の加水量は４７０ｍＬ、３合の場合の加水量は６５５ｍＬ、４合の場合の加水量は８６０ｍＬ、５合の場合の加水量は１０５０ｍＬである。
最大炊飯容量が１．８Ｌの炊飯器を用いる場合には、炊飯量が１合の場合の加水量は２８０ｍＬである。同様に、２合の場合の加水量は４８７ｍＬ、３合の場合の加水量は６６５ｍＬ、４合の場合の加水量は８６５ｍＬ、５合の場合の加水量は１０５５ｍＬ、６合の場合の加水量は１２４５ｍＬ、７合の場合の加水量は１４３５ｍＬ、８合の場合の加水量は１６４５ｍＬ、９合の場合の加水量は１８３０ｍＬ、１０合の場合の加水量は２０２０ｍＬである。
【００１８】
「比率」は、計量カップ１の最大容量（１８０ｍＬ）に対する、加水量の比率を示している。
最大炊飯容量が１．０Ｌの炊飯器を用いる場合には、炊飯量が１合の場合の比率は２７０／１８０＝１．５倍となっている。同様に、炊飯量が２合の場合の比率は２．６倍、３合の場合の比率は３．６倍、４合の場合の比率は４．８倍、５合の場合の比率は５．８倍である。
最大炊飯容量が１．８Ｌの炊飯器を用いる場合には、炊飯量が１合の場合の比率は２８０／１８０＝１．６倍となっている。同様に、炊飯量が２合の場合の比率は２．７倍、３合の場合の比率は３．７倍、４合の場合の比率は４．８倍、５合の場合の比率は５．９倍、６合の場合の比率は６．９倍、７合の場合の比率は８．０倍、８合の場合の比率は９．１倍、９合の場合の比率は１０．２倍、１０合の場合の比率は１１．２倍である。
【００１９】
ここで、異なる炊飯量の場合の加水比を比較してみる。
まず、最大炊飯容量が１．０Ｌである場合において、炊飯量が１合の場合と５合の場合とで比較する。炊飯量が１合の場合は、加水量（２７０ｍＬ）は炊飯量（１８０ｍＬ）の１５０％（炊飯量の５０％増し）である。一方、炊飯量が５合の場合は、加水量（１０５０ｍＬ）は炊飯量（９００ｍＬ）の１１７％（炊飯量の１７％増し）となる。
次に、最大炊飯容量が１．８Ｌである場合において、炊飯量が１合の場合と１０合の場合とで比較する。炊飯量が１合の場合は、加水量（２８０ｍＬ）は炊飯量（１８０ｍＬ）の１５６％（炊飯量の５６％増し）である。一方、炊飯量が１０合の場合は、加水量（２０２０ｍＬ）は炊飯量（１８００ｍＬ）の１１２％（炊飯量の１２％増し）となる。
【００２０】
ここで示したように、一般的に、炊飯量が少なければ加水比は大きく、炊飯量が増加すると加水比が低くなる傾向があるといえる。
なお、表１の数値は、一般的な炊飯器の設定値を例として示したものであって、すべての炊飯器に対して適用されるものではなく、何ら数値を限定するものではない。
【００２１】
加水量について、表１を参照して説明を続ける。
「カップ数」と「１合未満分」は、加水量（ｍＬ）を、計量カップ１のカップ数に換算して表記したものである。
例えば加水量が２７０ｍＬであれば、計量カップ１の１．５カップ分の水量に相当するため、「カップ数」の欄に１、「１合未満分」の欄に０．５と表記している。言い換えると、加水量（例えば２７０ｍＬ）を計量カップ１の最大容量（１８０ｍＬ）で割ったときの商が「カップ数」の値であり、余り（四捨五入などして端数を処理した値を含む）が「１合未満分」の値である。計量カップ１の最大容量の水を「カップ数」分だけ計量すると、これが、計量カップ１の最大容量の整数倍量となる。
【００２２】
例えば、最大炊飯容量が１．０Ｌの場合、炊飯量が５合であれば、加水量は、計量カップ１に５カップと０．８カップ（１カップの８０％）とを合わせた量となる。また、最大炊飯容量が１．８Ｌの場合、炊飯量が１０合であれば、加水量は、計量カップ１に１１カップと０．２カップ（１カップの２０％）とを合わせた量となる。
【００２３】
そこで、本実施の形態１に係る計量カップ１の水位目盛２は、表１の「１合未満分」に相当する水量を示す位置に配置している。
図１に示すように、水位目盛２の「１合」を示す水位目盛２ａは、表１の「１合未満分」に示す水量に対応する目盛となっている。具体的には、「１合」を示す水位目盛２ａは、計量カップ１の最大容量の０．５（９０ｍＬ）を示す位置に設けられている。同様に、「２合・３合」を示す水位目盛２ｂは、０．６（１０８ｍＬ）の位置に、「４合・５合」を示す水位目盛２ｃは、０．８（１４４ｍＬ）の位置に、設けられている。
【００２４】
図２に示すように加水量表示部３は、表１の「カップ数」に示した値を「炊飯量」と対応づけて一覧表示したものである。加水量表示部３は、計量カップ１の側面に刻印あるいは印刷により設けられている。なお、本実施の形態１では加水量表示部３を計量カップ１の側面に設けているが、例えば計量カップ１の底面に設けることもできる。
【００２５】
このように構成された計量カップ１を用いて米量及び加水量を計量する場合、まず計量カップ１で米量を計量し、必要に応じて洗米する。そして、炊飯器の内釜に洗米後の米を投入し、計量カップ１を用いて計量した水を内釜に投入する。
加水量の計量においては、まず、炊飯量に応じたカップ数分の水を、加水量表示部３を参照しながら計量カップ１を用いて量る。計量カップ１の容量いっぱいまで水を汲めばよいので、水位目盛２を気にする必要がなく、素早く水を計量することができる。また、計量カップ１には加水量表示部３が設けられているので、ユーザーは、加えるべき水のカップ数を容易に把握することができる。
【００２６】
そして、必要なカップ数の水を内釜に投入した後、炊飯量に応じた水位目盛２を基準に、水を計量する。計量カップ１は、内釜に比べると横断面積が小さいため、計量カップ１が多少傾いていたとしても水量の誤差は少ない。このため、内釜に設けられた水位目盛を用いて水加減をするときほど慎重にならずとも、より正確に水位調節を行うことができる。また、計量カップ１に設ける水位目盛２は、無洗米の炊飯に適した加水量に基づいて定めてもよい。
【００２７】
また、本実施の形態１に係る計量カップ１によれば、内釜に設けられた水位目盛を用いて水加減を行う必要がない。このため、例えば無洗米を炊飯する場合には、計量カップ１を用いて計量した無洗米を内釜に投入し、同じく計量カップ１で計量した水を内釜に投入すればよい。すなわち、内釜に手を入れるなどして水加減を行う必要がなく、手を濡らさずにより正確な水加減が可能となる。
【００２８】
また、本実施の形態１では、計量カップ１の最大容量を１８０ｍＬ（米１合相当量）としたが、これに限定されるものではない。例えば、計量カップの最大容量を９０ｍＬ（米０．５合相当量）とすれば、炊飯量の少ないユーザーが０．５合ずつ炊飯するのに適している。また、例えば計量カップの最大容量を大きくすれば、１カップで多くの水を計量できるので、業務用などで大量に炊飯するユーザーの水加減の手間を軽減することができる。なお、このことは、後述する実施の形態においても同様である。
【００２９】
実施の形態２．
図３は、本発明の実施の形態２に係る計量カップ１１の斜視図である。図４は、実施の形態２に係る計量カップ１１を、図３とは異なる方向から見た場合の斜視図である。図５は、図４に示す加水量表示部１３を拡大して示す図である。
本実施の形態２では、最大炊飯容量が１．８Ｌである炊飯器での炊飯に用いる計量カップを例に説明する。
【００３０】
計量カップ１１は、プラスチック樹脂等で成形された計量カップであり、最大容量が１８０ｍＬとなるよう構成されている。
計量カップ１１には、印刷あるいは刻印により水位目盛１２が設けられている。
また、図４に示すように、計量カップ１１には加水量表示部１３が設けられている。
【００３１】
本実施の形態２に係る計量カップ１１の水位目盛１２は、実施の形態１で示した表１の「１合未満分」に相当する水量を示す位置に設けられている。
図３に示すように、水位目盛１２の「１合」を示す水位目盛１２ａは、表１の「１合未満分」に示す水量に対応する目盛となっている。具体的には、「１合」を示す水位目盛１２ａは、計量カップ１の最大容量の０．６（１０８ｍＬ）を示す位置に設けられている。同様に、「２合・３合」を示す水位目盛２ｂは、０．７（１２８ｍＬ）の位置に、「４合」を示す水位目盛２ｃは、０．８（１４４ｍＬ）の位置に、「５合・６合」を示す水位目盛２ｄは、０．９（１６２ｍＬ）の位置に、「８合」を示す水位目盛２ｅは０．１（１８ｍＬ）の位置に、「９合・１０合」を示す水位目盛２ｆは、０．２（３６ｍＬ）の位置に、それぞれ設けられている。
【００３２】
なお、「７合」の場合は「１合未満分」に相当する水量がゼロであるので（表１参照）、「７合」を示す目盛は設けていない。
【００３３】
また、図４、図５に示すように加水量表示部１３は、表１の「カップ数」に示した値を「炊飯量」と対応づけて一覧表示したものである。加水量表示部１３は、計量カップ１の側面に刻印あるいは印刷により設けられている。なお、本実施の形態２では加水量表示部１３を計量カップ１１の側面に設けているが、例えば計量カップ１１の底面に設けることもできる。
【００３４】
このように構成された最大炊飯容量が１．８Ｌである炊飯器での炊飯に用いる計量カップ１１においても、前述の実施の形態１で説明した手順と同様の手順で加水量を計量することができ、同様の効果を得ることができる。
【００３５】
実施の形態３．
図６は、本発明の実施の形態３に係る計量カップ２１の斜視図である。本実施の形態３では、最大炊飯容量が１．０Ｌである炊飯器での炊飯に用いる計量カップを例に説明する。
【００３６】
図６に示すように、計量カップ２１は、前述の実施の形態１で説明した水位目盛２と同様にして刻んだ水位目盛２２が、計量カップ２１の周壁上の水位目盛２と対向する位置に設けられている。このように、計量カップ２１の対向する位置に水位目盛２と水位目盛２２を設けることにより、１カップ未満分の水量を量るときの水位目盛２２の視認性を向上させることができ、作業性を向上させることができる。
【００３７】
なお、前述の実施の形態２の最大炊飯容量が１．８Ｌである炊飯器での炊飯に用いる計量カップにおいても、本実施の形態３で述べたように対向する両側面に目盛を設けることができ、同様の効果を得ることができる。
【００３８】
実施の形態４．
図７は、本発明の実施の形態４に係る計量カップ３１の斜視図である。本実施の形態４では、最大炊飯容量が１．０Ｌである炊飯器での炊飯に用いる計量カップを例に説明する。
【００３９】
図７に示すように、計量カップ３１は、前述の実施の形態１で説明した水位目盛２と同様にして刻んだ水位目盛３２が、計量カップ３１の周壁の全周に亘って設けられている。このように、水位目盛３２を計量カップ３１の周壁の全周に亘って設けることにより、１カップ未満分の水量を量るときの水位目盛３２の視認性を向上させることができ、作業性を向上させることができる。
【００４０】
なお、前述の実施の形態２の最大炊飯容量が１．８Ｌである炊飯器での炊飯に用いる計量カップにおいても、本実施の形態４で述べたように計量カップの周壁の全周に亘って目盛を設けることができ、同様の効果を得ることができる。
【００４１】
実施の形態５．
図８は、本発明の実施の形態５に係る炊飯器本体５の斜視図である。炊飯器本体５は、前述の実施の形態１〜実施の形態４で述べたいずれかの計量カップと（図８には図示せず）、加水量表示部６を備えている。炊飯器本体５が備える計量カップは、炊飯器本体５の最大炊飯容量に応じて定められた加水量を計量可能なものである。
【００４２】
加水量表示部６は、前述の実施の形態１の図２あるいは実施の形態２の図５で説明した加水量表示部と同様の情報が記載されており、炊飯器本体５の側面に設けられている。加水量表示部６は、炊飯器本体５の側面に印刷物あるいは銘板を貼り付けることによって設けられている。なお、図８では、加水量表示部６を炊飯器本体５の側面に設けているが、視認性を確保することのできる設置箇所であれば、例えば背面や上面などに設けてもよい。
【００４３】
このように、加水量表示部６を炊飯器本体５に設けることにより、ユーザーは、加水量のうち「カップ数」に相当する量を容易に確認することができる。また、炊飯器本体５の表面積は計量カップと比べて大きいことから、加水量表示部６を大きく表示することも可能であり、このようにすることで視認性を向上させることができる。
また、加水量表示部６を炊飯器本体５に設けた場合には、計量カップに加水量表示部を設けなくともよい。この場合は、計量カップには水位目盛のみを設ければよいので、水位目盛の視認性を向上させることができる。
【符号の説明】
【００４４】
１  計量カップ、２  水位目盛、２ａ〜２ｃ  水位目盛、３  加水量表示部、５  炊飯器本体、６  加水量表示部、１１  計量カップ、１２  水位目盛、１２ａ〜１２ｆ  水位目盛、１３  加水量表示部、２１  計量カップ、２２  水位目盛、３１  計量カップ、３２  水位目盛。
【図１】
0005634050.tif 000003
【図２】
0005634050.tif 000004
【図３】
0005634050.tif 000005
【図４】
0005634050.tif 000006
【図５】
0005634050.tif 000007
【図６】
0005634050.tif 000008
【図７】
0005634050.tif 000009
【図８】
0005634050.tif 000010